(57)【特許請求の範囲】
【請求項１】
所定の情報信号から得られた互いに独立の複数のカオス原信号を混合した複数の混合信号が入力される受信信号入力ステップと、
独立成分分析によって上記複数の混合信号を上記複数のカオス原信号に対応する複数の分離信号に分離する信号分離ステップと、
上記複数の分離信号と上記複数のカオス原信号との対応付けをカオス原信号生成メカニズムを参照して行う信号同定ステップと
からなり、
上記複数のカオス原信号は、上記情報信号をシリアル→パラレル変換したコード信号と対応するように、写像により生成されたカオス信号系列である受信方法。
【請求項２】
請求項１に記載の受信方法において、
上記複数の混合信号は、複数の送信アンテナから放出された送信信号が混合されたものであり、上記受信信号入力ステップは、受信アンテナによる受信と同一周波数のキャリア信号による周波数変換処理とである受信方法。
【請求項３】
所定の情報信号から得られた互いに独立の複数のカオス原信号を混合した複数の混合信号が入力される受信信号入力部と、
独立成分分析によって上記複数の混合信号を上記複数のカオス原信号に対応する複数の分離信号に分離する信号分離部と、
上記複数の分離信号と上記複数のカオス原信号との対応付けをカオス原信号生成メカニズムを参照して行う信号同定部とを備え、
上記複数のカオス原信号は、上記情報信号をシリアル→パラレル変換したコード信号と対応するように、写像により生成されたカオス信号系列である受信装置。
【請求項４】
情報信号をシリアル→パラレル変換して得られた複数の信号をそれぞれ変調した変調情報信号が複数のカオス拡散符号によって拡散されて送信され、
上記複数のカオス拡散符号によって拡散された信号を混合した複数の混合信号が入力され、
独立成分分析によって上記複数の混合信号を上記複数の変調情報信号に対応する複数の分離信号に分離し、
上記複数の分離信号と上記複数の変調情報信号との対応付けを行う受信方法であって、
上記カオス拡散符号がパワー一定の複素カオス拡散符号である受信方法。
【発明の詳細な説明】
【技術分野】
【０００１】
この発明は、例えば移動通信において、独立成分分析のみにより多重信号を分離受信することにより高速化および高容量化を可能とする受信方法および受信装置に関する。
【背景技術】
【０００２】
独立成分分析（ＩＣＡ：Independent Component Analysis)の手法を使用して異なる場
所に配置された複数の送信装置から送信された電波信号を１台の受信装置で受信してそれぞれの復調信号を得ることができる技術が下記の特許文献１に記載されている。
【０００３】
【特許文献１】特開２００５−５１３４４号公報
【発明の開示】
【発明が解決しようとする課題】
【０００４】
特許文献１に記載のものは、異なる場所に配置された複数の送信装置のアンテナから放射された複数の電波を１台の受信装置で受信する場合に、複数の電波が同一の周波数のキャリアで異なる変調方式で変調されている場合、または同一の周波数を有する変調方式で、統計的に独立な異なるデータの２波以上の複数の変調信号を送信する場合でも、それぞれの信号成分を分離することを可能とするものである。しかしながら、かかる特許文献１に記載の技術は、独立成分分析のみで多重信号を受信し、通信の高速化および高容量化を達成するものではなかった。
【０００５】
したがって、この発明の目的は、通信の高速化および高容量化が可能な受信機および受信方法を提供することにある。
【課題を解決するための手段】
【０００６】
上述した課題を解決するために、この発明は、所定の情報信号から得られた互いに独立の複数のカオス原信号を混合した複数の混合信号が入力される受信信号入力ステップと、
独立成分分析によって複数の混合信号を複数のカオス原信号に対応する複数の分離信号に分離する信号分離ステップと、
複数の分離信号と複数のカオス原信号との対応付けをカオス原信号生成メカニズムを参照して行う信号同定ステップと
からなり、
複数のカオス原信号は、情報信号をシリアル→パラレル変換したコード信号と対応するように、写像により生成されたカオス信号系列である受信方法である。
【０００７】
この発明は、所定の情報信号から得られた互いに独立の複数のカオス原信号を混合した複数の混合信号が入力される受信信号入力部と、
独立成分分析によって複数の混合信号を複数のカオス原信号に対応する複数の分離信号に分離する信号分離部と、
複数の分離信号と複数のカオス原信号との対応付けをカオス原信号生成メカニズムを参照して行う信号同定部とを備え、
複数のカオス原信号は、情報信号をシリアル→パラレル変換したコード信号と対応するように、写像により生成されたカオス信号系列である受信装置である。
【発明の効果】
【０００８】
この発明による受信方法および受信装置は、送信すべき情報信号から得られた互いに独立の複数のカオス原信号を空間上で並列伝送することによって、独立成分分析のみにより多重信号を分離受信することにより通信の高速化および高容量化を達成することができる。また、この発明では、拡散変調方式のように送信側と同期した拡散符号を受信側で発生して拡散復調を行う必要がなく、受信方法および受信装置の簡略化を達成できる。この発明は、次世代、すなわち、第４世代移動通信における伝送速度を１Ｇビット／秒程度に高速化する技術として使用することができる。
【発明を実施するための最良の形態】
【０００９】
以下、この発明の一実施の形態について図面を参照して説明する。図１は、一実施の形態による通信システムを示す。一例として、３個のカオス原信号ｓ1，ｓ2，ｓ3が送信機
１に対して入力される。カオス原信号ｓ1，ｓ2，ｓ3のそれぞれは、送信データをシリア
ル→パラレル変換したコード信号と対応するように写像により生成されたカオス信号系列である。送信機１は、３個の乗算器ＭＬ１，ＭＬ２，ＭＬ３からなる。乗算器ＭＬ１〜ＭＬ３に対しては、キャリア信号源２から同一周波数のキャリア信号が供給され、原信号ｓ1〜ｓ3がＲＦ帯に周波数変換される。そして、図示しない電力増幅器をそれぞれ介して周波数変換後の信号が送信アンテナＡＴ１，ＡＴ２，ＡＴ３に供給され、電波として放出される。送信信号は、１チャンネルの周波数帯域を使用して伝送される。
【００１０】
送信電波が空間伝送路１０を介して受信アンテナＡＴ１１，ＡＴ１２，ＡＴ１３によって受信される。空間伝送路１０は、反射物等によって複数の異なる伝搬路（所謂マルチパス）が形成され、送信アンテナからそれぞれ放出された電波が互いに干渉を受けて混在して受信アンテナＡＴ１１〜ＡＴ１３によって受信される。通常、送受信に使用するアンテナの個数が等しいものとされる。所定のデータを空間上で並列伝送することによって、通信の高速化および高容量化が達成される。
【００１１】
受信アンテナＡＴ１１〜ＡＴ１３のそれぞれから得られる受信信号が電力増幅器（図示せず）を介して受信機１１を構成する乗算器ＭＬ１１，ＭＬ１２，ＭＬ１３にそれぞれ供給される。乗算器ＭＬ１１〜ＭＬ１３には、キャリア信号源１２からのキャリア信号が供給され、ＲＦ帯からベースバンドへの周波数変換がなされる。送信側のキャリア信号と受信側のキャリア信号とは、周波数および位相が同一となるように制御されている。
【００１２】
乗算器ＭＬ１１〜ＭＬ１３のそれぞれから複数のカオス原信号を混合した複数の混合信号ｘ1，ｘ2，ｘ3が得られる。この複数の混合信号ｘ1，ｘ2，ｘ3がディジタル信号に変換されて信号分離部１３に供給される。信号分離部１３は、独立成分分析（ＩＣＡ）によって乗算器ＭＬ１１〜ＭＬ１３のそれぞれからの混合信号ｘ1，ｘ2，ｘ3から複数のカオス
原信号を推定して分離するものである。独立成分分析による信号分離は、一般的に下記の式で示される処理である。
【００１３】
【数１】
0004836559.tif 000002
【００１４】
式（１）の左辺のＸ(t)が受信された混合信号系列ｘ1(t)，ｘ2(t)，・・・，ｘN(t)の
時系列を示すベクトルであり、右辺のＡがａを要素とする混合行列であり、右辺のＳ(t)
が分離したいカオス原信号系列ｓ1(t)，ｓ2(t)，・・・，ｓN(t)の時系列を示すベクトルである。
【００１５】
すなわち、（Ｎ＝３）の例では、ある時点ｔにおいて受信された混合信号が下記に示すものとなる。
【００１６】
ｘ1(t)＝ａ11＊ｓ1(t)＋ａ12＊ｓ2(t)＋ａ13＊ｓ2(t)
ｘ2(t)＝ａ21＊ｓ1(t)＋ａ22＊ｓ2(t)＋ａ23＊ｓ2(t)
ｘ3(t)＝ａ31＊ｓ1(t)＋ａ32＊ｓ2(t)＋ａ33＊ｓ2(t)
【００１７】
受信側で混合行列Ａ（重み係数）は、未知である。実際には、受信アンテナの向き等によって重み係数が変化する。原信号Ｓ(t)の統計的性質、すなわち、信号の非ガウス分布
を仮定して、混合信号Ｘ(t)を、カオス原信号Ｓ(t)に相当する独立成分に分離する。
【００１８】
信号分離部１３は、３個のカオス原信号に相当する３個の独立成分を分離し、信号同定部１４に供給する。信号同定部１４は、カオス原信号生成メカニズムを参照して分離された独立成分とカオス原信号との対応を同定するための処理を行い、信号同定部１４から分離信号ｓ1’，ｓ2’，ｓ3’が出力される。図示しないが、分離信号ｓ1’，ｓ2’，ｓ3’がパラレル→シリアル変換回路によってシリアルデータへ変換される。
【００１９】
信号同定部１４は、原信号が備えている性質に基づいて同定処理を行う。例えば同定処理のために、独立成分の生成メカニズムを予め送信側から受信側が教えてもらっておく。信号分離部１３および信号同定部１４は、ハードウェアの構成に限らずソフトウェア処理の構成としても良い。写像により生成されるカオス信号を原信号とする場合、カオス信号の生成する写像を予め考えられるパターンの数だけ用意して、分離した信号がどの写像により生成されるかが同定可能である。
【００２０】
上述したように、この発明の一実施の形態における受信機１１は、ＭＩＭＯ(Multiple
Input Multiple Output)の構成となり、通信容量を増大させることができる。
【００２１】
図２、図３および図４は、実験結果を示すものであり、横軸が時間変化を示し、縦軸が正規化された振幅を示す。一例として、図２に示す２個のカオス原信号ｓ1(t)（図２Ａ）およびｓ2(t)（図２Ｂ）を伝送する例が示されている。図３Ａおよび図３Ｂが下記の式で示される混合信号ｘ1(t)およびｘ2(t)を示す。
【００２２】
ｘ1(t)＝ａ11＊ｓ1(t)＋ａ12＊ｓ2(t)
ｘ2(t)＝ａ21＊ｓ1(t)＋ａ22＊ｓ2(t)
【００２３】
実験回路としては、マルチパス環境下で送信された場合に生じる干渉と同様の波形操作（位相、振幅等の操作）を二つのカオス原信号ｓ1(t)およびｓ2(t)に対して行い、その結果の二つの信号に対してそれぞれゲインａ11〜ａ22を乗じて加算する構成が使用される。
【００２４】
混合信号ｘ1(t)およびｘ2(t)が独立成分分析による信号分離処理を受ける。実験では、信号同定を行っていない。信号分離処理の結果、分離信号ｓ1(t)’（図４Ａ）およびｓ2(t)’（図４Ｂ）が得られる。図２に示すカオス原信号ｓ1(t)（図２Ａ）およびｓ2(t)（図２Ｂ）と、図４に示す分離信号ｓ1(t)’およびｓ2(t)’を比較すると、両者は、殆ど同一の信号となり、原信号を分離できたことが分かる。
【００２５】
次に、図５および図６を参照してこの発明の一実施の形態の具体例について説明する。この例では、ＣＤＭＡ(Code Division Multiple Access:符号分割多元接続)に対してこの発明を適用したものである。一例として、送信側が一つの移動局に対応し、受信側が基地局に対応する。この逆の関係でも良い。通常、移動局が多数存在しているが、簡単のために、一つの移動局のみが存在し、１チャンネルの帯域を使用するものとする。
【００２６】
図５は、送信側の構成を示す。送信機１ａに対して入力される原信号ｓ1〜ｓ3は、送信すべき情報を例えばシリアル→パラレル変換し、パラレル変換後の各情報信号を情報変調した変調情報信号である。変調情報信号ｓ1〜ｓ3が乗算器ＭＬ４，ＭＬ５，ＭＬ６に対してそれぞれ供給される。これらの乗算器ＭＬ４〜ＭＬ６には、符号発生部４からの拡散符号が入力される。乗算器ＭＬ４〜ＭＬ６に対して供給される拡散符号は、互いに異なる時系列の符号信号である。
【００２７】
乗算器ＭＬ４〜ＭＬ６によって拡散変調された信号が乗算器ＭＬ１，ＭＬ２，ＭＬ３に供給される。乗算器ＭＬ１〜ＭＬ３に対しては、キャリア信号源２から同一周波数のキャリア信号が供給され、変調情報信号ｓ1〜ｓ3がＲＦ帯に周波数変換される。そして、電力増幅器（図示せず）を介して周波数変換後の信号がそれぞれ送信アンテナＡＴ１，ＡＴ２，ＡＴ３に供給され、電波として放出される。
【００２８】
送信電波が空間伝送路を介して図６に示す受信側の受信アンテナＡＴ１１，ＡＴ１２，ＡＴ１３によって受信される。受信アンテナＡＴ１１〜ＡＴ１３に対してＣＤＭＡの受信機１１ａが接続されている。
【００２９】
受信アンテナＡＴ１１，ＡＴ１２，ＡＴ１３のそれぞれから得られる受信信号が電力増幅器（図示せず）を介して乗算器ＭＬ１１，ＭＬ１２，ＭＬ１３にそれぞれ供給される。乗算器ＭＬ１１〜ＭＬ１３には、キャリア信号源１２からのキャリア信号が供給され、ＲＦ帯からベースバンドへの周波数変換がなされる。送信側のキャリア信号と受信側のキャリア信号とは、周波数および位相が同一となるように制御されている。
【００３０】
乗算器ＭＬ１１〜ＭＬ１３のそれぞれからの混合信号ｘ1，ｘ2，ｘ3が信号分離部１３
に供給される。信号分離部１３は、独立成分分析（ＩＣＡ）によって乗算器ＭＬ１１〜ＭＬ１３のそれぞれからの混合信号ｘ1，ｘ2，ｘ3からカオス原信号としての変調情報信号
を推定して分離するものである。
【００３１】
従来のＣＤＭＡ受信機の構成では、送信側の拡散変調部（乗算器ＭＬ４〜ＭＬ６）に対応する拡散復調部（逆拡散部とも称される）が設けられ、拡散復調部に対して送信側と同期した拡散符号を供給することによって変調情報信号を得るようになされる。上述した例では、かかる拡散復調部が設けられず、独立成分分析による信号分離部１３によって、直接的に変調情報信号が分離される。
【００３２】
信号分離部１３は、３個のカオス原信号（すなわち、変調情報信号）に相当する３個の独立成分を分離し、信号同定部１４に供給する。信号同定部１４は、分離された独立成分のカオス原信号との対応を同定するための処理を行い、信号同定部１４から分離変調情報信号ｓ1’，ｓ2’，ｓ3’が出力される。信号同定部１４は、カオス原信号が備えている
性質に基づいて同定処理を行う。
【００３３】
さらに、信号同定部１４からの分離変調情報信号ｓ1’，ｓ2’，ｓ3’が信号検証部１
５に供給される。信号検証部１５には，符号発生部１６からの拡散符号が入力される。信号検証部１５は、信号同定部１４による同定結果が正しいことを検証するための処理を行う。カオス信号を信号源とする場合、カオス信号を生成する機構（例えばロジスティック写像のような写像）を用いて、信号の種類を検証できる。信号検証部１５から最終的な分離変調情報信号ｓ1”，ｓ2”，ｓ3”が得られる。信号検証部１５を設けることは、必須
ではないが、信号検証部１５によってエラーレートを改善することができる。なお、信号分離部１３、信号同定部１４および信号検証部１５は、ハードウェアの構成に限らずソフトウェア処理の構成としても良い。
【００３４】
拡散符号としては、カオス拡散符号が使用される。例えばパワーが一定の複素カオス拡散符号が使用される。複素カオス拡散符号とは、ＩとＱの２成分の実数型拡散符号を持つスペクトル拡散用拡散符号のことである。カオス拡散符号の直交性から独立成分分析によって信号分離が可能となる。
【００３５】
カオス拡散符号は、直交多項式であるチェビシェフ多項式を写像として、繰り返し生成された系列である。例えば２次、３次および４次のチェビシェフ多項式は、下記に示される。
【００３６】
Ｔ（２，ｘ）＝２ｘ2−１
Ｔ（３，ｘ）＝４ｘ3−３ｘ
Ｔ（４，ｘ）＝８ｘ4−８ｘ2＋１
【００３７】
これらのチェビシェフ多項式による写像は、図７に示すものとなる。図７において、横軸がｘであり、縦軸がｙであり、閉区間（−１≦ｘ≦１）を閉区間（−１≦ｙ≦１）に写像する有利写像である。Ｔ２が２次のチェビシェフ多項式による写像の特性を示し、Ｔ３が３次のチェビシェフ多項式による写像の特性を示し、Ｔ４が３次のチェビシェフ多項式による写像の特性を示す。また、カオス拡散符号は、次数に加えて初期値の設定によって異なる系列を発生することができる。カオス拡散符号の発生のための構成は、本願発明者の提案にかかる特開２００３−１４０８８５号公報に記載されている。カオス拡散符号を使用することによって符号の種類を多くすることができ、また、拡散符号の構成が簡単でないことから、通信セキュリティを向上することができる。また、このチェビシェフ多項式で生成されるカオス信号は、シンボリックダイナミクスの理論から、ある２値系列へ一意にマッピング可能である。この場合、送るシンボル列に、「ここから情報を流します」という意味のパイロット信号を例えば"1111111111111111111...11111111"として、情報がどこから始まっているかを読み取ることも可能となる。
【００３８】
図８、図９および図１０は、実験結果を示すものであり、横軸が時間変化を示し、縦軸が正規化された振幅を示す。一例として、２個のカオス原信号ｓ1(t)（図８Ａ）および原信号ｓ2(t)（図８Ｂ）を伝送する例が示されている。一方の原信号ｓ2(t)が１．６ｋHzのパルス信号とされている。図９Ａおよび図９Ｂが下記の式で示される混合信号ｘ1(t)およびｘ2(t)を示す。
【００３９】
ｘ1(t)＝ａ11＊ｓ1(t)＋ａ12＊ｓ2(t)
ｘ2(t)＝ａ21＊ｓ1(t)＋ａ22＊ｓ2(t)
【００４０】
実験回路としては、マルチパス環境下で送信された場合に生じる干渉と同様の波形操作（位相、振幅等の操作）を一方のカオス原信号ｓ1(t)に対して行い、その結果の信号とパルス信号とに対してそれぞれゲインａ11〜ａ22を乗じて加算する構成が使用される。
【００４１】
混合信号ｘ1(t)およびｘ2(t)が独立成分分析による信号分離処理を受ける。実験では、信号同定および信号検証を行っていない。信号分離処理の結果、分離信号ｓ1(t)’（図１０Ａ）およびｓ2(t)’（図１０Ｂ）が得られる。原信号ｓ1(t)（図８Ａ）およびｓ2(t)（図８Ｂ）と、図１０に示す分離信号ｓ1(t)’およびｓ2(t)’を比較すると、両者は、殆ど同一の信号となり、原信号を分離できたことが分かる。
【００４２】
図１１は、カオスＣＤＭＡの波形の一例を示すものである。図１１では、８本のアンテナを使用している。左側には、情報信号（ビット信号）、カオス拡散符号、周波数変換用のキャリア信号および周波数変換されて一つのアンテナから送信される送信信号が示されている。互いに異なる情報信号およびカオス拡散符号を使用して合計で８個の送信信号が生成される。
【００４３】
受信アンテナで受信された混合信号が復調され、信号分離部によって図１１の右側に示される８個の信号に分離できる。例えば最上段の分離信号が左側のビット信号をカオス拡散符号で拡散変調したものと対応している。
【００４４】
次に、この発明の他の実施の形態について説明する。他の実施の形態は、ＣＤＭＡおよびＯＦＤＭ(Orthogonal Frequency Division Multiplex) 変調方式を組み合わせたものである。
【００４５】
図１２は、送信側の構成を示す。入力端子２０ａ，２０ｂ，２０ｃ，２０ｄのそれぞれから送信すべき情報信号が入力される。情報信号が拡散部２１ａ，２１ｂ，２１ｃ，２１ｄに供給され、入力端子２２ａ，２２ｂ，２２ｃ，２２ｄからのカオス拡散符号例えばパワー一定の複素拡散符号によって拡散される。
【００４６】
拡散部２１ａ〜２１ｄの出力信号がＳ／Ｐコンバータ２３ａ，２３ｂ，２３ｃ，２３ｄにそれぞれ供給され、シリアルデータからパラレルデータへ変換される。Ｓ／Ｐコンバータ２３ａ〜２３ｄによって、データ系列が複数のデータ系列に分けられる。Ｓ／Ｐコンバータ２３ａ〜２３ｄからのデータ系列がマッパー２４ａ，２４ｂ，２４ｃ，２４ｄにそれぞれ供給される。マッパー２４ａ〜２４ｄは、それぞれディジタル変調（ＱＡＭ(Quadrature Amplitude Modulation)、ＰＳＫ(Phase Shift Keying)等）の変調を行うものである
。
【００４７】
マッパー２４ａ〜２４ｄのそれぞれの出力が逆高速フーリエ変換(Inverse Fast Fourier Transform):IFFT)部２５ａ，２５ｂ，２５ｃ，２５ｄに供給され、時間領域波形が生成される。ＩＦＦＴ部２５ａ〜２５ｄの出力がガードインターバル(Guard Interval:GI)付
加部２６ａ，２６ｂ，２６ｃ，２６ｄに供給され、ガードインターバルがシンボル時間単位で付加される。ガードインターバル２６ａ〜２６ｄの出力が図示しない電力増幅器を介して送信アンテナＡＴ１，ＡＴ２，ＡＴ３，ＡＴ４にそれぞれ供給され、電波として送出される。
【００４８】
Ｓ／Ｐコンバータ２３ａ〜２３ｄのそれぞれは、ＯＦＤＭ変調方式のサブキャリアの個数に対応するチャンネルにデータを分けるものである。ＯＦＤＭのサブキャリアの個数をｎとすると、例えばＳ／Ｐコンバータ２３ａがｎチャンネルの並列データを形成する。各チャンネルのデータ系列がマッパーにそれぞれ供給され、ＩＦＦＴ部によってＯＦＤＭ信号とされ、ガードインターバル付加部において、ＯＦＤＭシンボル毎にガードインターバルが付加される。すなわち、図１２ではまとめて示しているが、マッパー２４ａ、ＩＦＦＴ部２５ａおよびガードインターバル付加部２６ａのそれぞれは、サブキャリア数ｎの本数に等しい数の部分を並列に有している。他の送信アンテナＡＴ２，ＡＴ３，ＡＴ４についても同様の構成とされている。
【００４９】
図１３は、この発明の他の実施の形態における受信機の構成を示す。例えば４個の受信アンテナＡＴ１１，ＡＴ１２，ＡＴ１３，ＡＴ１４らの受信信号がガードインターバル除去部３１ａ，３１ｂ，３１ｃ，３１ｄにそれぞれ供給される。ガードインターバル除去部３１ａ〜３１ｄは、受信されたＯＦＤＭシンボルのタイミングに応じてガードインターバルを除去する。
【００５０】
ガードインターバル除去部３１ａ〜３１ｄの出力信号がＦＦＴ（高速フーリエ変換）部３２ａ，１３ｂ，３２ｃ，３２ｄにそれぞれ供給される。ＦＦＴ部３２ａ〜３２ｄによって、時間領域信号が周波数領域信号に変換される。ガードインターバル除去部３１ａ〜３１ｄからＰ（パラレル）／Ｓ（シリアル）コンバータ３６ａ〜３６ｄまでの処理は、ＯＦＤＭのサブキャリア数ｎの並列のデータ系列に対してなされる。
【００５１】
ＦＦＴ部３２ａ〜３２ｄの出力中のデータシンボルが信号分離部３３に供給され、信号分離部３３の出力が信号同定部３４に供給される。上述した一実施の形態におけるのと同様に、信号分離部３３は、複数の変調情報信号に相当する独立成分を分離し、信号同定部３４に供給する。信号同定部３４は、原信号が備えている性質に基づいて同定処理を行う。例えば同定処理のために、独立成分の生成メカニズムを予め送信側から受信側が教えてもらっておく。
【００５２】
信号同定部３４の出力信号が信号検証部３５に供給される。図示しないが、信号検証部３５には，符号発生部からのカオス拡散符号が入力される。信号検証部３５は、信号同定部３４による同定結果が正しいことを検証するための処理を行う。
【００５３】
信号検証部３５からの分離信号系列が送信側のマッパーと逆の処理を行い、ディジタル復調処理を行うデマッパー３６ａ，３６ｂ，３６ｃ，３６ｄにそれぞれ供給される。デマッパー３６ａ〜３６ｄの出力がＰ／Ｓコンバータ３７ａ，３７ｂ，３７ｃ，３７ｄにそれぞれ供給される。Ｐ／Ｓコンバータ３７ａ〜３７ｄによって、ＯＦＤＭのサブキャリア数に等しい数のチャンネルが一つのチャンネルにまとめられる。Ｐ／Ｓコンバータ３７ａ〜３７ｄの出力が出力端子３８ａ，３８ｂ，３８ｃ，３８ｄに取り出される。
【００５４】
以上、この発明の実施の形態について具体的に説明したが、この発明は、上述の実施の形態に限定されるものではなく、この発明の技術的思想に基づく各種の変形が可能である。例えばカオス系列によってパルス間隔またはパルス振幅がランダムに制御されたパルスを生成するようにしても良い。
【図面の簡単な説明】
【００５５】
【図１】この発明の一実施の形態の送信側および受信側の構成を示すブロック図である。
【図２】この発明の一実施の形態の説明に使用する原信号の波形を示す波形図である。
【図３】この発明の一実施の形態の説明に使用する混合信号の波形を示す波形図である。
【図４】この発明の一実施の形態の説明に使用する分離信号の波形を示す波形図である。
【図５】この発明の一実施の形態における送信側のより具体的な構成を示すブロック図である。
【図６】この発明の一実施の形態における受信側のより具体的な構成を示すブロック図である。
【図７】カオス拡散符号の説明に用いるグラフである。
【図８】この発明の一実施の形態の説明に使用する原信号の波形を示す波形図である。
【図９】この発明の一実施の形態の説明に使用する混合信号の波形を示す波形図である。
【図１０】この発明の一実施の形態の説明に使用する分離信号の波形を示す波形図である。
【図１１】この発明の一実施の形態においてカオスＣＤＭＡを行う場合の説明に用いる波形図である。
【図１２】この発明の他の実施の形態における送信側の構成を示すブロック図である。
【図１３】この発明の他の実施の形態における受信側の構成を示すブロック図である。
【符号の説明】
【００５６】
１，１ａ・・・送信機
２・・・キャリア信号源
４・・・符号発生部
１０・・・空間伝送路
１１，１１ａ・・・受信機
１２・・・キャリア信号源
１３，３３・・・信号分離部
１４，３４・・・信号同定部
１５，３５・・・信号検証部
ＭＬ・・・乗算器
ＡＴ１〜ＡＴ４・・・送信アンテナ
ＡＴ１１〜ＡＴ１４・・・受信アンテナ
【図１】
0004836559.tif 000003
【図２】
0004836559.tif 000004
【図３】
0004836559.tif 000005
【図４】
0004836559.tif 000006
【図５】
0004836559.tif 000007
【図６】
0004836559.tif 000008
【図７】
0004836559.tif 000009
【図８】
0004836559.tif 000010
【図９】
0004836559.tif 000011
【図１０】
0004836559.tif 000012
【図１１】
0004836559.tif 000013
【図１２】
0004836559.tif 000014
【図１３】
0004836559.tif 000015